(57)【要約】    【課題】地上波ＤＭＢを送信する送信機に固有識別子を付与し、端末機が有料送信機からＤＭＢサービスの提供を受けると所定の費用を課金して、ユーザには良質のサービスを提供し、送信機の管理者には収益を提供する。    【解決手段】放送システム２００は、映像信号を放送する放送局１０と、前記映像信号を受信し、受信した映像信号に固有識別子を付加して送信する送信機２０、３０と、該送信機２０、３０から送信された映像信号を受信し、前記固有識別子によって受信された映像信号を視聴するか否かを決定する端末機４０と、を含んで構成される。【選択図】図２
2006211677.tif 000002
【特許請求の範囲】
【請求項１】
映像信号を放送する放送局と、
前記映像信号を受信し、受信した映像信号に固有識別子を付加して送信する送信機と、
該送信機から送信される映像信号を受信し、前記固有識別子によって受信した映像信号を視聴するか否かを決定する端末機と、
を含んで構成されることを特徴とする放送システム。
【請求項２】
前記端末機は、前記固有識別子を分析して受信した映像信号が無料であるか有料であるかを区別し、有料である場合に該有料映像信号に関する認証情報が存在するか否かを確認することを特徴とする請求項１記載の放送システム。
【請求項３】
前記端末機は、
通信網を介して管理サーバーに接続して認証手続を行い、該管理サーバーから取得した承認によって認証情報の状態を変更するモジュールを備えたことを特徴とする請求項１記載の放送システム。
【請求項４】
送信機の固有識別子が挿入された放送データ又は放送信号を受信する受信部と、
受信した放送データ又は放送信号を分析し、前記固有識別子によって放送を視聴するか否かを決定する制御部と、
視聴することが決定された放送データ又は放送信号を表示する表示部と、
を含むことを特徴とする放送用端末機。
【請求項５】
前記制御部は、前記固有識別子を分析して前記送信機が有料送信機であるか無料送信機であるかを判断し、
前記送信機が有料送信機であるときに、該有料送信機からの放送視聴を許可する認証情報が存在するか否かを確認することを特徴とする請求項４に記載の放送用端末機。
【請求項６】
前記制御部は、前記認証情報が存在しない状態でユーザーが視聴を所望する場合に、前記有料送信機の管理サーバーに接続して所定の認証手続を行うことを特徴とする請求項５に記載の放送用端末機。
【請求項７】
前記制御部は、前記有料送信機及び前記無料送信機から送信された放送データ又は放送信号を受信した場合に、その受信した信号の比率を分析して送信機が有料送信機であるか無料送信機であるかを判別することを特徴とする請求項５に記載の放送用端末機。
【請求項８】
前記制御部は、有料送信機から送信された放送データ又は放送信号が表示されると、該放送データ又は放送信号が表示された時間を測定することを特徴とする請求項４に記載の放送用端末機。
【請求項９】
前記固有識別子は、前記送信機の位置情報を含むことを特徴とする請求項４に記載の放送用端末機。
【請求項１０】
前記固有識別子は、送信機識別情報ＴＩＩ(Transmitter Identification Information)を含むことを特徴とする請求項９に記載の放送用端末機。
【請求項１１】
前記制御部は、前記認証情報が満了し又は存在しないときは、前記有料送信機の管理サーバーに接続して認証情報を受信して更新することを特徴とする請求項５記載の放送用端末機。
【請求項１２】
送信機の固有識別子が挿入された放送データ又は放送信号を受信する過程と、
受信した放送データ又は放送信号を分析し、前記固有識別子によって放送を視聴するか否かを決定する過程と、
視聴することが決定された放送データ又は放送信号を表示する過程と、
を含むことを特徴とする放送用端末機の放送視聴方法。
【請求項１３】
前記決定する過程は、
前記固有識別子を分析して、前記送信機が有料送信機であるか無料送信機であるかを判断する過程と、
前記送信機が有料送信機であるときに、該有料送信機からの放送視聴を許可する認証情報が存在するか否かを確認する過程と、
を含むことを特徴とする請求項１２に記載の放送用端末機の放送視聴方法。
【請求項１４】
前記確認する過程は、
前記認証情報が存在しない状態でユーザーが視聴を所望する場合に、前記有料送信機の管理サーバーに接続して所定の認証手続を行う過程を含むことを特徴とする請求項１３に記載の放送用端末機の放送視聴方法。
【請求項１５】
前記判断する過程は、
前記有料送信機及び前記無料送信機から送信された放送データ又は放送信号を受信した場合に、その受信した信号の比率を分析して送信機が有料送信機であるか無料送信機であるかを判別する過程をさらに含むことを特徴とする請求項１３に記載の放送用端末機の放送視聴方法。
【請求項１６】
前記表示する過程は、
有料送信機から送信された放送データ又は放送信号が表示されると、該放送データ又は放送信号が表示された時間を測定する過程を含むことを特徴とする請求項１２に記載の放送用端末機の放送視聴方法。
【請求項１７】
前記固有識別子は、前記送信機の位置情報を含むことを特徴とする請求項１２に記載の放送用端末機の放送視聴方法。
【請求項１８】
前記固有識別子は、送信機識別情報ＴＩＩ(Transmitter Identification Information)を含むことを特徴とする請求項１７に記載の放送用端末機の放送視聴方法。
【請求項１９】
前記制御する過程は、
前記認証情報が満了し又は存在しないときは、前記有料送信機の管理サーバーに接続して認証情報を受信して更新する過程を含むことを特徴とする請求項１４に記載の放送用端末機の放送視聴方法。
【発明の詳細な説明】
【技術分野】
【０００１】
本発明は、放送システム、放送用端末機及びその放送視聴方法に関し、詳しくは、不感地域にある放送用端末機がギャップフィラー等の送信機から放送を受信する場合に、その放送用端末機に課金できるようにした放送システム、放送用端末機及びその放送視聴方法に関するものである。
【背景技術】
【０００２】
一般に、放送用端末機（以下単に端末機という場合もある）は、移動中にマルチメディア情報やデータなどを個人の端末機により受信し得るように提案された端末機であり、マルチメディアサービスとしては、ＤＭＢ(Digital Multimedia Broadcasting)、ＤＶＢ-Ｈ(Digital Video Broadcasting Handheld)、Media-Ｆｌｏ(Media-Forward link only)などのように各国家別または会社別に多様に命名されたものがある。
【０００３】
前記ＤＭＢとは、移動中においてもＤＭＢ受信機を備えた放送用端末機、即ち、携帯情報端末機(ＰＤＡ等)または車載端末機などに高音質の音声や高画質の映像などの多様なマルチメディア信号をデジタル方式で提供する放送サービスを言い、このようなデジタル放送データを載せた電波をどのような方式で送信するかによって衛星ＤＭＢと地上波ＤＭＢとに分けられる。
【０００４】
そのうちの地上波ＤＭＢシステムは、比較的低費用で開発し得ることから、受信者が別途の加入することなしに、端末機がＤＭＢ放送を受信し得るように設計されてきた。但し、地上波ＤＭＢは、２００ＭＨｚ帯域の電波を利用するため、かかる電波の特性上、広い放送受信エリアをカバーするものの、無線環境が悪い地域、すなわち、地下、盆地、ビルに囲まれた地域などのような不感地域も存在し得るため、このような不感地域における端末機の受信感度を改善し、地上波ＤＭＢの視聴を保障するためにギャップフィラーという送信機の設置が必須である。
【発明の開示】
【発明が解決しようとする課題】
【０００５】
しかし、このような放送サービスを安定して提供するためには、ギャップフィラー等の送信機を設置してこれを管理及び維持しなければならず、また、特定の地域に送信機を設置し、これを管理する事業者の中には、そのための費用等を確保する（収益を得る）ために、かかる送信機から放送を受信する端末機に対して一定額の課金を行い得る手段を要求している。
【０００６】
本発明は、このような実情に鑑みてなされたものであり、放送用端末機が所定の送信機から放送サービスの提供を受けると所定の費用を課金して、ユーザーには良質のサービスを提供しつつ、送信機の管理者には収益を提供することを目的とする。
【課題を解決するための手段】
【０００７】
前記目的を達成するために、本発明に係る放送システムにおいては、映像信号を放送する放送局と、前記映像信号を受信し、受信した映像信号に固有識別子を付加して送信する送信機と、該送信機から送信された映像信号を受信し、前記固有識別子によって受信した映像信号を視聴するか否かを決定する端末機と、を含んで構成されることを特徴とする。
【０００８】
また、前記目的を達成するために、本発明に係る放送用端末機は、送信機の固有識別子が挿入された放送データ又は放送信号を受信する受信部と、受信した放送データ又は放送信号を分析し、前記固有識別子によって放送を視聴するか否かを決定する制御部と、視聴することが決定された放送データ又は放送信号を表示する表示部と、を含んで構成されることを特徴とする。
【０００９】
また、前記目的を達成するために、本発明に係る放送用端末機の放送視聴方法は、送信機の固有識別子が挿入された放送データ又は放送信号を受信する過程と、受信した信号を分析し、前記固有識別子によって放送を視聴するか否かを決定する過程と、放送を視聴することが決定された放送データを表示する過程と、を含むことを特徴とする。
【００１０】
好ましくは、前記放送システムにおいて、前記端末機のユーザーが映像信号の視聴を要求した場合に、該端末機による映像信号の視聴を許可するか否かを決定する管理サーバーを含む。
【００１１】
好ましくは、前記固有識別子は、放送局及び各送信機を区別するために使用される識別子である。
【００１２】
好ましくは、前記固有識別子は、送信機識別情報（ＴＩＩ）を含み、例えば、そのＭａｉｎＩＤに記録される。
【発明の効果】
【００１３】
本発明によれば、例えば、地上波ＤＭＢの基本的な規格を外れずに不感地域等におけるＤＭＢサービスを可能としつつ、不感地域等の制限された地域においては、ＤＭＢ視聴のために承認されたユーザーであるか否かを区別してＤＭＢサービスを提供することができるので、不感地域等におけるＤＭＢサービスを可能とするためにＤＭＢ送信機を設置した事業者等には、これによる収益を提供することができ、ユーザーには安定かつ良質のＤＭＢサービスの提供することができるという効果がある。
【００１４】
なお、本発明の特徴を示すアルゴリズム、メカニズムは、他の放送サービスを提供する放送システム、放送用端末機及びその放送視聴方法、即ち、ＤＶＢ-Ｈ、Media-Ｆｌｏなどの放送にも適用し得るものである。
【発明を実施するための最良の形態】
【００１５】
以下、本発明の好ましい実施形態について図面を用いて説明する。
本発明の基本概念は、地上波ＤＭＢを送信する送信機に固有識別子を付与しておき、端末機が有料送信機からＤＭＢサービスの提供を受けると、その端末機（ユーザー）に所定の費用を課金して、ユーザーには良質のサービスを安定して提供しつつ、送信機の管理者には（サービス提供による）収益を提供するというものである。
【００１６】
図１は、放送システムにおいて送信機識別子（ＩＤ）を付与する方式の一例うぃ示している。
【００１７】
図１に示すように、１つのセルには複数の送信機が存在し、それぞれの送信機には「Main Identifier」（以下「メインＩＤ」という）と、「Sub Identifier」（以下「サブＩＤ」という）とを含んだ複数のサブクラス形態の固有識別子（例えば、送信機識別情報（Transmitter Identification Information: ＴＩＩ））が割り当てられている。すなわち、それぞれのセルに位置する送信機を他のセルに位置する送信機と区別するために、例えば、送信機毎に「００＿ｘｘ」のようなＴＩＩを割り当てる。このＴＩＩの「００」の部分は、例えば、７bitsのＭａｉｎＩＤであって放送局のＴＩＩを示しており、「ｘｘ」の部分は、５bitsのサブＩＤであって該当する放送局の領域にある送信機のＴＩＩを示している。
【００１８】
図２は、本発明の実施形態に係る放送システムを示す構成図である。
【００１９】
図２に示すように、本実施形態に係る放送システム２００は、所定の放送データ又は放送信号（以下単に「放送信号」という）を送信する放送局１０と、該放送局１０が送信した放送信号を中継し、必要な場合、自身の固有識別子を放送信号に挿入（付加）する各送信機２０、３０と、これら送信機２０、３０（例えば、ギャップフィラー)から放送信号を受信してこれに挿入（付加）された固有識別子によって放送信号（放送）を視聴するか否かが決定される（視聴するか否かを決定する）端末機４０と、放送を視聴することを決定した端末機のユーザーが視聴を要求した場合に、該放送の視聴を許可するか否かを決定する管理サーバー５０と、を含んで構成される
【００２０】
また、各送信機２０、３０は、端末機４０による放送の視聴を制限しない固有識別子を持つか、または固有識別子を持たない無料又は公営のギャップフィラーを含む第１送信機（以下「無料／公営送信機」という）２０と、端末機４０よる放送の視聴を制限する（設定されている認証情報によって視聴を許可する）固有識別子を持つ有料のギャップフィラーを含む第２送信機（以下「有料送信機」という）３０と、を含んで構成される。
【００２１】
また、無料／公営送信機２０は、例えば、放送局１０から受信した放送信号のパワーが弱い場合には、これを増幅して端末機４０に送信し、有料送信機３０は、例えば、端末機４０が放送局１０から放送信号を直接受信し得ない地下、盆地、ビルに囲まれた地域などのような不感地域にある場合に、放送局１０から放送信号を受信して端末機４０に送信（中継）する。無料／公営送信機２０及び有料送信機３０には、他のセルの各送信機と区別するために、それぞれ（すなわち、送信機毎に）固有識別子が割り当てられている。この固有識別子は、例えば「００_ｘｘ」のように示され、そのうちの「００」は、例えば、７bitsのＭａｉｎＩＤであって放送局の位置情報を示す識別子であり、残りの「ｘｘ」は、例えば、５bitsのＳｕｂＩＤであって該当する放送局の領域内にある送信機の位置情報を示した識別子である。
【００２２】
このように、送信機毎にＭａｉｎＩＤとＳｕｂＩＤとを利用した固有識別子を割り当てることで、各送信機を区別する。
【００２３】
以下、図２を参照して本実施形態に係る放送システムの動作について説明する。
【００２４】
前記放送局１０が、ユーザーの所望するＤＭＢ信号に送信機識別情報(ＴＩＩ)を挿入（付加）して送信（放送）すると、この送信（放送）されたＤＭＢ信号は、ユーザーの端末機４０または地上波ＤＭＢシステムの各送信機２０、３０に受信される。
【００２５】
次に、放送局が送信したＤＭＢ信号が無料／公営送信機２０に受信されると、該無料／公営送信機２０は、それぞれの送信機に割り当てられたＴＩＩを、受信したＤＭＢ信号のヌルシンボルに挿入（付加）して端末機４０に送信する。そして、端末機４０は、無料／公営送信機２０から送信されたＤＭＢ信号に含まれるＴＩＩを分析して、現在受信している（サービスを受けている）ＤＭＢ信号が無料である（無料／公営送信機２０からＤＭＢ信号を受信している）ことを確認し、ユーザーに表示する。
【００２６】
もし、端末機４０が地下、盆地、ビルに囲まれた地域などのような不感地域にあって、放送局１０や無料／公営送信機２０からＤＭＢ信号を直接受信することができず（サービスを利用できず）、有料送信機３０からＤＭＢ信号を受信している（サービスを受けている）場合には、該有料送信機３０は、自身のＴＩＩを放送局から受信したＤＭＢ信号のヌルシンボルに付加して端末機４０に送信しているので、該端末機４０は、有料送信機３０から送信された信号に含まれるＴＩＩを分析して、現在受信している（サービスを受けている）ＤＭＢ信号が有料である（有料送信機３０からＤＭＢ信号を受信している）ことが分かる。有料送信機３０からＤＭＢ信号を受信している場合、端末機４０は、サービスを受けるための料金を支払っている場合にのみ、その地上波ＤＭＢの視聴が可能であり、料金を支払っていない場合には、地上波ＤＭＢの視聴は不可能である。また、料金を支払っていないにもかかわらず、端末機４０のユーザーが（有料送信機３０から送信された）地上波ＤＭＢを視聴しようとすると、有料視聴の加入を促し、通信網を介して有料送信機３０の管理者から使用認証を受けさせる。この使用認証を受けるために、端末機４０は、有料送信機３０の管理サーバー５０に接続し、該管理サーバー５０が視聴を許可すると、端末機４０は（有料送信機３０から送信された）地上波ＤＭＢを（有料）視聴可能となる。
【００２７】
図３は、本発明の一実施形態に係る放送信号を受信するマルチメディア端末（放送受信部）を備えた移動通信端末機を示すブロック図である。
【００２８】
図３に示すように、移動通信端末機（端末機）５００は、少なくとも一つ以上のアンテナ５０２と、基地局からＲＦ信号を受信するとともに放送局又は送信機から放送信号を受信するチューナー５０４とを含んでいる。アンテナ５０２は、チューナー５０４に接続しており、チューナー５０４は、ＣＤＭ変調器（Code Division Multiplexing demodulator）に接続している。チューナー５０４の出力はマルチメディアプロセッサ（以下「プロセッサ」という）５０６に送信される。プロセッサ５０６は、ビデオイメージを表示部５０８に表示するために必要な信号処理を行い、また、オーディオコーデック５１４を介してオーディオ（音声）信号をスピーカ５１６に出力するために必要な信号処理を行う。また、プロセッサ５０６は、データを保存及び読み出しするためにフラッシュメモリ５１０及びＲＡＭ５１２に接続している。
【００２９】
また、図３のセルラー部において、ラジオアンテナ５１８はＲＦ部５２０に接続している。ＲＦ部５２０は、ＣＤＭＡ信号及び／又はＧＳＭ信号の受信、送信及び処理のために備えられる。ＲＦ部５２０の出力は、中央処理部（ＣＰＵ）５３０に送信される。ＣＰＵ５３０は、ＲＦ部５２０から出力されるデータ信号を処理し、キーパッド５５０又は他の入力装置から受信されたユーザーインタフェースデータを処理する。さらに、ＣＰＵ５３０は、データを保存及び読み出しするためにフラッシュメモリ５３２及びＲＡＭ５３４に接続している。ＣＰＵ５３０及びプロセッサ５０６は、処理したデータを互いに送信できるように接続している。ここで、本実施形態においては、プロセッサ５０６がマルチメディア信号を処理し、ＣＰＵ５３０が移動通信端末機５００の全体的な動作を制御する。なお、ここでは、二つの分離されたフラッシュメモリ及びＲＡＭについて説明しているが、ＣＰＵ５３０及びプロセッサ５０６が同一のフラッシュメモリ及びＲＡＭからデータを読み出し及び保存し得るように結合することもできる。
【００３０】
図４は、本発明の一実施形態に係る放送用端末機のブロック構成図である。
【００３１】
図４に示すように、本実施形態に係る放送用端末機４００は、放送受信モードを選択するために命令が入力される入力部６０と、入力された命令を利用して端末機４００のモードを放送受信モードに切り換え、受信部６６に受信された放送信号を分析及び制御する制御部６２と、該制御部６２からの制御信号に応じて管理サーバー５０（図２参照）に接続するための命令を送信する送信部６４と、管理サーバー５０によりユーザー認証が行われると、受信部６６に受信された放送信号を表示する表示部６８と、を含んで構成される。
【００３２】
また、制御部６２は、送信機（例えば、図２の有料送信機３０）から送信される放送信号が表示されると、課金できるように、該放送信号が表示された時間を測定し、この測定した時間を含むメッセージを管理サーバー５０に送信するモジュールを備える。
【００３３】
以下、図４を参照して、本実施形態に係る放送用端末機の動作を説明する。
【００３４】
放送を視聴するためのモードが選択され、端末機４００に放送信号を送信する送信機から放送信号が受信されると、制御部６２は、受信した放送信号を分析して、受信した放送信号が有料送信機から送信された信号であるか、無料／公営送信機から送信された信号であるかを確認する。確認の結果、無料／公営送信機から送信された信号である場合には、制御部６２は、該無料／公営送信機から送信される放送信号を表示部６８に表示する。一方、有料送信機から送信された放送信号である場合には、該有料送信機が提供する放送の視聴を許可する認証情報が存在するか否かを確認する。確認の結果、認証情報が存在しないと、端末機４００は、該有料送信機の管理サーバーに接続する。すると、管理サーバーは、課金及び使用できる認証の種類に関する説明を端末機４００に提供し、該端末機４００のユーザーは、これらのうちいずれか一つを選択して使用権購買のための認証（課金認証及びユーザー認証）手続を行う。このような使用権認証手続を行った後、該端末機４００の視聴権が確保される（視聴が許可される）と、制御部６２は、認証関連処理を行って有料送信機から送信される放送信号を表示部６８に表示する。
【００３５】
図５は、本発明の一実施形態に係る送信機識別情報（ＴＩＩ）構造を示す図である。
【００３６】
図５に示すように、本実施形態に係るＴＩＩのパケット構造は、メインＩＤ（Main Identifier）とサブＩＤ（Sub Identifier）とを含んで構成される。メインＩＤは、送信モードの情報を示すＭａｉｎＩＤと、緯度の情報を示す「Ｌａｔｉｔｕｄｅ ｃｏａｒｓｅ」と、経度の情報を示す「Ｌｏｎｇｉｔｕｄｅ ｃｏａｒｓｅ」と、緯度オフセットを示す「Ｌａｔｉｔｕｄｅ ｆｉｎｅ」と、経度オフセットを示す「Ｌｏｎｇｉｔｕｄｅ ｆｉｎｅ」とを含んでおり、サブＩＤは、７つのビットフィールドで構成され、メインＩＤを示すために使用される（メインＩＤのＭａｉｎＩＤに対応する）ＭａｉｎＩＤと、ＳｕｂＩＤフィールドのリストを保存するために使用される「Ｒｆｕ（Reserved for future use）」と、ＳｕｂＩＤフィールドの全体数を保存している「Ｎｕｍｂｅｒ ｏｆ ＳｕｂＩＤ」と、「ＳｕｂＩＤ」、「ＴＤ（Time Delay）」、「Ｌａｔｉｔｕｄｅ ｏｆｆｓｅｔ」、及び「Ｌｏｎｇｉｔｕｄｅ ｏｆｆｓｅｔ」を保存している複数の「ＳｕｂＩＤ ｆｉｅｌｄ」と、を含んでいる。
【００３７】
このように、本実施形態においては、送信機毎にメインＩＤ（ＭａｉｎＩＤ）とサブＩＤ（ＳｕｂＩＤ）とを割り当ててそれぞれの送信機を区別し、通常は、ヌルシンボル区間（すなわち、各メインＩＤ及びサブＩＤ内のＭａｉｎＩＤ）に送信機識別子を付与して送信する方法であり、サービス情報フィールドに各送信機が設置された場所の正確な緯度及び経度情報を提供することもできる。
【００３８】
図６は、本発明の一実施形態に係る放送用端末機の視聴方法を示すフローチャートである。
【００３９】
以下、図６を参照して本実施形態に係る放送用端末機の視聴方法について詳細に説明する。
【００４０】
まず、ユーザーがＤＭＢ放送を視聴するためにＤＭＢ端末機（端末機）においてＤＭＢ受信モードを選択した後に、ＤＭＢ放送の受信を始めるか、または既にＤＭＢ放送を受信している場合には受信しながら位置を移動すると、有料送信機が送信した放送信号（ＤＭＢ信号）を受信し得る状態となる。そのため、端末機は、受信した信号に挿入されている送信機の固有情報である識別子情報(例えば、ＴＩＩ)を定期的に確認する(Ｓ１００、Ｓ１０２)。この識別子情報（ＴＩＩ）は、放送信号に付与した時点で有料送信機とその他の送信機（例えば、無料／公営送信機）とを区別できるように特定の規則で決定されている。例えば、有料送信機の識別子情報は、常に「１０」から始まって、他の送信機には、識別子情報を付与しないか、または他の識別子情報（「００」から始まる等）を付与することで、端末機は、受信信号から抽出した識別子情報により、現在受信している放送信号が有料送信機から送信されたものであるか否か（有料放送であるか否か）を区別することができる。
【００４１】
もし、有料送信機から送信された放送信号と他の無料送信機から送信された放送信号との両方を受信した場合には、所定比率以上で有料送信機から送信された放送信号が受信された場合にのみ、有料送信機から送信された放送を受信していると判断する。
【００４２】
端末機は、識別子情報（ＴＩＩ）が「１０_ｘｘ」または「１０_００」のように、放送局（ｘｘ）または無料／公営送信機（００）から送信された識別子情報であると判断すると、受信した放送信号を表示し、ユーザーはＤＭＢ放送を視聴することができる(Ｓ１０４、Ｓ１２２)。しかし、識別子情報（ＴＩＩ）が「１０_１０」のように有料送信機（１０）から送信された識別子情報であると判断すると、端末機は、その有料送信機が提供する放送の視聴を許可する認証情報が存在するか否かを確認する(Ｓ１０４、Ｓ１０６)。この認証情報は、すべての有料送信機に共通に適用される認証、有料送信機の事業子毎に適用される認証、または有料送信機毎に適用される認証のいずれであってもよい。
【００４３】
認証情報の確認の結果、有料送信機の認証情報が存在すると、認証関連処理を行った後、該放送信号を表示し、ユーザーは、受信したＤＭＢ放送を視聴することができる(Ｓ１０６、Ｓ１２０、Ｓ１２２)。
しかし、もし、有料送信機の放送を視聴するための認証情報が存在しないか、または既に満了した認証情報しか存在しないと、端末機は、通信網が設定されているか否かを確認する(Ｓ１０６、Ｓ１０８)。ここで、通信網とは、端末機がＤＭＢ視聴のために接続するネットワークのことであり、端末機とは、ＤＭＢ放送を受信できる端末機（ＤＭＢ専用の端末機のみならず、移動通信端末機なども含む）のことである。
【００４４】
通信網の確認の結果、通信網が設定されていない端末機は、ＤＭＢ放送の視聴が不可能であり、本フローを終了する(Ｓ１１８)。一方通信網が設定された端末機であれば、該端末機は、自動または手動で通信網を通じて有料送信機の管理サーバーに接続する(Ｓ１０８、Ｓ１１０)。
【００４５】
端末機が管理サーバーに接続すると、該管理サーバーは、課金及び使用可能な認証の種類についての説明を端末機に提供し、端末機のユーザーは、それらの中から一つを選択して使用権の購入のための認証(課金認証及びユーザー認証)手続を行う(Ｓ１１２)。ユーザーがこのような使用権の認証に失敗するかまたは認証を拒否すると、その端末機でのＤＭＢ放送の視聴は不可能であり（Ｓ１１２、Ｓ１１８）、使用権の認証に成功すると、有料送信機（又はその管理サーバー）は、該有料送信機が送信するＤＭＢ放送を視聴し得るように、認証情報を新たにダウンロードするか既存の認証情報の更新を要求する案内メッセージを送信する。端末機は、この案内メッセージに従って、新しい認証情報をダウンロードするか、認証情報を更新して使用権の認証手続を行う(Ｓ１１２、Ｓ１１４)。
【００４６】
使用権の認証手続を行って端末機の視聴権が確保されると、該端末機は、認証関連処理を行い、その後、ＤＭＢ放送の視聴が可能となる(Ｓ１１６、Ｓ１２０、Ｓ１２２)。
【００４７】
ここで、認証関連処理とは、認証に必要な環境変化を格納（保存）したり、一定の基準に従って認証情報を修正したりする過程を言う。即ち、認証が永続的ではなく、特定の環境変化(例えば、時間経過、放送受信の回数の増加、放送視聴時間の累積など)に対して制限的に約定（契約）された場合であれば、これを判断して認証情報を変更できなければならない。
【００４８】
以上の各過程(Ｓ１０８、Ｓ１１０、Ｓ１１２、Ｓ１１４)では、ユーザーが適切な認証情報を先払い方式で予め確保した後、有料送信機が送信するＤＭＢ放送を視聴するようにしているが、課金方式を後払いに変更する場合には、端末機は、有料送信機の管理者が提供する視聴権を付与された後、有料送信機が送信するＤＭＢ放送を視聴した時間を計算して、これをＤＭＢ放送視聴のたびに、または定期的に有料送信機の管理サーバーに課金情報として提供する。このため、端末機は、通信網に接続し得るモジュールを備えていなければならない。また、もし、端末機のユーザーが支払いを延滞等した場合には、有料送信機の管理者は、通信網を通じて遠隔操作で該端末機の認証情報を変更し、その後の視聴を禁止することができる。
【図面の簡単な説明】
【００４９】
【図１】放送システムにおける送信機識別子（ＩＤ）を付与する方式を示す例示図である。
【図２】本発明の実施形態に係る放送システムを示す構成図である。
【図３】本発明の実施形態に係る放送データを受信するマルチメディア端末（放送受信部）を備えた移動通信端末機を示すブロック図である。
【図４】本発明の実施形態に係る放送用端末機のブロック構成図である。
【図５】本発明の実施形態に係るＴＩＩパケットの構造を示す図である。
【図６】本発明の実施形態に係る放送用端末機の視聴方法を示すフローチャートである。
【符号の説明】
【００５０】
１０：放送局
２０：無料及び公営送信機
３０：有料送信機
４０：端末機
５０：管理サーバー
６０：入力部
６２：制御部
６４：送信部
６６：受信部
６８：表示部
【図１】
2006211677.tif 000003
【図２】
2006211677.tif 000004
【図３】
2006211677.tif 000005
【図４】
2006211677.tif 000006
【図５】
2006211677.tif 000007
【図６】
2006211677.tif 000008